(57)【要約】    【課題】  電極の端部にて集電基材が曲がっているにも関わらず、不均一な充放電反応が抑制されている蓄電素子を提供することを課題としている。    【解決手段】  シート状に形成された正極および負極を電極として備え、  正極および負極は、積層され、  各電極は、集電基材と該集電基材の両面側に配された活物質層とを含み、  各集電基材の少なくとも一部は、各電極の端部まで延び、該端部にて積層方向の一方側へ向けて曲がっており、  互いに隣り合う正極および負極の端部では、集電基材が曲がる積層方向の各向きが、互いに反対である蓄電素子を提供する。【選択図】  図１
2015222632.tif 000002
【特許請求の範囲】
【請求項１】
シート状に形成された正極および負極を電極として備え、
前記正極および前記負極は、積層され、
前記各電極は、集電基材と該集電基材の両面側に配された活物質層とを含み、
前記各集電基材の少なくとも一部は、前記各電極の端部まで延び、該端部にて積層方向の一方側へ向けて曲がっており、
互いに隣り合う前記正極および前記負極の前記端部では、前記集電基材が曲がる積層方向の各向きが、互いに反対である蓄電素子。
【請求項２】
積層方向に交互に並んだ前記正極および前記負極の端部では、前記集電基材としての正極集電基材が同じ方向に曲がり、前記集電基材としての負極集電基材が前記端部の前記正極集電基材と反対方向に曲がっている請求項１に記載の蓄電素子。
【請求項３】
前記正極および前記負極の各厚みは、一定である請求項１又は２に記載の蓄電素子。
【請求項４】
前記電極の少なくとも一方は、矩形状に形成され、該矩形状の一方の電極の少なくとも２辺に沿った端部にて前記集電基材が曲がる方向は、同じである請求項１乃至３のいずれか１項に記載の蓄電素子。
【発明の詳細な説明】
【技術分野】
【０００１】
本発明は、蓄電素子に関する。
【背景技術】
【０００２】
従来、蓄電素子としては、様々なものが知られている。例えば、蓄電素子としては、それぞれシート状に形成された正極および負極を電極として備え、正極および負極が、互いに向き合ったものが提案されている。
この種の蓄電素子においては、例えば、正極および負極の各電極が互いに厚み方向に積層されている。また、各電極が、例えば、シート状の集電基材と、該集電基材の両面側にそれぞれ配された活物質層とを含んでいる。
【０００３】
この種の蓄電素子の一例は、例えば、特許文献１に記載されている。特許文献１に記載された蓄電素子は、互いに積層された正極および負極を巻回した電極体と、電極体を内部に収容するケースとを備えている。
【０００４】
また、特許文献１に記載された蓄電素子において、負極は、シート状の集電基材の両面側に活物質層が配されてなる負極原板を厚み方向に切断することによって形成されている。即ち、負極は、端部の少なくとも一部に、切断によって集電基材が曲がった屈曲端部を有する。
負極の屈曲端部は、負極原板が厚み方向に切断されることによって形成されたものであることから、屈曲端部における集電基材の端部は、負極の端縁へ延びつつ、負極の厚み方向の一方側へ向けて曲がっている。即ち、負極の屈曲端部においては、集電基材は、切断時の切断力によって、負極の一方の活物質層側へ曲がっている。
さらに、特許文献１に記載された蓄電素子においては、積層された正極および負極を巻回することによって電極体が形成されている。電極体においては、負極の屈曲端部において集電基材が曲がる方向が、電極体の巻回中心方向に揃っている。
【０００５】
斯かる蓄電素子においては、充電によって、負極の活物質層が膨張する。この膨張によって電極体が外側へ膨張する。
斯かる蓄電素子においては、負極の屈曲端部において集電基材が負極の端縁へ延びつつ曲がる方向が、電極体の巻回中心方向である。従って、電極体が外側へ膨張しても、集電基材が電極体の巻回中心方向へ曲がっている分、集電基材の端縁がケースの内面と接触しにくい。これにより、斯かる蓄電素子においては、充放電に伴う電極体の膨張によって、例えば、集電基材の端縁とケースとが接触することが抑制されている。
【０００６】
しかしながら、特許文献１に記載された蓄電素子は、屈曲端部を有する負極を含み、屈曲端部にて曲がっている集電基材の向きを単に所定の方向へ揃えただけのものである。従って、斯かる蓄電素子は、充放電時において不均一な充放電反応が屈曲端部において生じるという問題を有する。
詳しくは、斯かる蓄電素子においては、切断されることによって負極の屈曲端部が形成されているため、負極の屈曲端部が、切断時に少なくとも厚み方向の一方の方向へ切断力を受けている。従って、斯かる蓄電素子においては、例えば、集電基材の一方の面側に配された活物質層の密度が切断力によって高くなっている分、集電基材の他方の面側に配された活物質層の密度が低くなっている。各活物質層において密度差が生じていると、充放電時に不均一な充放電反応が起こる。斯かる蓄電素子がリチウムイオン二次電池であれば、不均一な充放電反応によって、例えば、負極の屈曲端部においてリチウムが析出することとなる。
【先行技術文献】
【特許文献】
【０００７】
【特許文献１】国際公開第２０１１／０１６２４３号
【発明の概要】
【発明が解決しようとする課題】
【０００８】
本発明は、上記の問題点等に鑑み、電極の端部にて集電基材が曲がっているにも関わらず、不均一な充放電反応が抑制されている蓄電素子を提供することを課題とする。
【課題を解決するための手段】
【０００９】
上記課題を解決すべく、本発明に係る蓄電素子は、
シート状に形成された正極および負極を電極として備え、
正極および負極は、積層され、
各電極は、集電基材と該集電基材の両面側に配された活物質層とを含み、
各集電基材の少なくとも一部は、各電極の端部まで延び、該端部にて積層方向の一方側へ向けて曲がっており、
互いに隣り合う正極および負極の端部では、集電基材が曲がる積層方向の各向きが、互いに反対である。
【００１０】
本発明に係る蓄電素子の１つの態様としては、積層方向に交互に並んだ正極および負極の端部では、集電基材としての正極集電基材が同じ方向に曲がり、集電基材としての負極集電基材が端部の正極集電基材と反対方向に曲がっている態様が採用される。
【００１１】
本発明に係る蓄電素子の他の態様としては、正極および負極の各厚みが、一定である態様が採用される。
【００１２】
本発明に係る蓄電素子の他の態様としては、電極の少なくとも一方は、矩形状に形成され、該矩形状の一方の電極の少なくとも２辺に沿った端部にて集電基材が曲がる方向は、同じである態様が採用される。
【発明の効果】
【００１３】
本発明に係る蓄電素子は、電極の端部にて集電基材が曲がっているにも関わらず、不均一な充放電反応が抑制されているという効果を奏する。
【図面の簡単な説明】
【００１４】
【図１】図３に示す電極体のＩＩ−ＩＩ断面の一例を模式的に表した断面図。
【図２】図３に示す電極体のＩＩ−ＩＩ断面の他の例を模式的に表した断面図。
【図３】扁平状の電極体の一例を一方の面側から見たときの様子を模式的に表した模式図。
【図４】電極体の積層構造の一例を模式的に表した模式図。
【図５】蓄電素子としての非水電解液二次電池（リチウムイオン二次電池）の一例の内部構造を模式的に表した模式図。
【図６】電極体の一例の断面を模式的に表した模式図。
【図７】巻回型の電極体の一例の構造の一部を分解して模式的に表した模式図。
【図８】図９に示す電極体のＩＶ−ＩＶ断面を模式的に表した模式図。
【図９】蓄電素子としての非水電解液二次電池（リチウムイオン二次電池）の他の例の外観を表した図。
【発明を実施するための形態】
【００１５】
以下、本発明に係る蓄電素子の実施形態について、図面を参照しつつ説明する。蓄電素子の実施形態としては、一次電池、二次電池、キャパシタ等がある。本実施形態では、蓄電素子の一例として、充放電可能な二次電池について説明する。
【００１６】
本実施形態の蓄電素子１は、図１および図２に示すように、
シート状に形成された正極１０および負極２０を電極として備え、
正極１０および負極２０は、積層され、
各電極は、集電基材１１，２１と該集電基材１１，２１の両面側に配された活物質層１２，２２とを備え、
各集電基材１１，２１の少なくとも一部は、各電極の端部まで延び、該端部にて積層方向の一方側へ向けて曲がっており、
互いに隣り合う正極１０および負極２０の端部では、集電基材１１，２１が曲がる積層方向の各向きが、互いに反対である。
詳しくは、本実施形態の蓄電素子１において、積層方向に交互に並んだ正極１０および負極２０の端部では、集電基材としての正極集電基材１１同士が、同じ方向に曲がり、集電基材としての負極集電基材２１同士が、上記端部の正極集電基材１１と反対方向に曲がっている。
【００１７】
本実施形態の蓄電素子は、非水電解質二次電池である。具体的には、本実施形態の蓄電素子１としては、例えば、図５や図９に示す非水電解質二次電池１（リチウムイオン二次電池）が挙げられる。
この種の蓄電素子は、電気エネルギーを供給する。蓄電素子は、単一又は複数で使用される。具体的に、蓄電素子は、要求される出力および要求される電圧が小さいときには、単一で使用される。一方、蓄電素子は、要求される出力および要求される電圧の少なくとも一方が大きいときには、他の蓄電素子と組み合わされて蓄電装置に用いられる。蓄電装置では、該蓄電装置に用いられる蓄電素子が電気エネルギーを供給する。
【００１８】
＜第１実施形態＞
第１実施形態の蓄電素子１は、例えば、複数の正極１０および複数の負極２０が積層された電極体２を備える。
さらに、第１実施形態の蓄電素子１は、例えば図５に示すように、電極体２を内部に収容するケース４０を備える。
また、第１実施形態の蓄電素子１は、ケース４０内に貯留された電解液を含む。
【００１９】
第１実施形態の蓄電素子１は、複数のシート状のセパレータ３を備える。
図１および図２に示すように、セパレータ３は、正極１０と負極２０との間に配されている。セパレータ３は、図１に示すように、電極体２の積層方向の最も外側にそれぞれ配され得る。一方、セパレータ３は、図２に示すように、電極体２の積層方向の最も外側に配置されていなくてもよい。
【００２０】
電極体２は、扁平形状（板状）に形成されている。
電極体２は、例えば、図４および図５に示すように、複数の正極１０および複数の負極２０を含み、正極１０および負極２０が厚み方向に交互に積層されることによって形成されている。
なお、電極体２は、後述するように、例えば、帯状の正極１０および帯状の負極２０が重ねられ、さらに巻回されることによって形成されていてもよい。
【００２１】
詳しくは、電極体２は、例えば図１および図２に示すように、シート状の正極１０とシート状の負極２０とを電極として備える。正極１０および負極２０の少なくとも一方は、矩形状に形成されている。
各電極は、シート状の集電基材と、活物質を含み集電基材の両面側にそれぞれ配された活物質層とを含む。
即ち、正極１０は、シート状の正極集電基材１１と、正極活物質を含み正極集電基材１１の両面側にそれぞれ配された正極活物質層１２とを含む。
同様に、負極２０は、シート状の負極集電基材２１と、負極活物質を含み負極集電基材２１の両面側にそれぞれ配された負極活物質層２２とを含む。
例えば、矩形状の各電極では、少なくとも２辺に沿った端部にて集電基材が曲がり、集電基材が曲がった端部での集電基材の曲がる方向は、同じである。
【００２２】
具体的には、電極としての正極１０および負極２０は、端部の少なくとも一部に、厚み方向に切断されることによって集電基材が曲がった屈曲端部６をそれぞれ有する。
屈曲端部６では、集電基材１１、２１の両面側に活物質層１２、２２が配されている。また、集電基材１１、２１が電極の端縁へ延びつつ電極（正極１０、負極２０）の一方の表面側へ曲がっている。
また、例えば図１および図２に示すように、正極１０および負極２０のそれぞれの屈曲端部６は、厚み方向（積層方向）にそれぞれ互いに隣り合うように配されている。
さらに、互いに隣り合う正極１０および負極２０の屈曲端部６では、集電基材１１、２１が電極（正極１０、負極２０）の一方の表面側へ曲がる厚み方向の向きが、それぞれ互いに反対方向である。
【００２３】
第１実施形態の蓄電素子１においては、正極１０および負極２０が、厚み方向の切断によって集電基材が曲がった屈曲端部６をそれぞれ有する。従って、それぞれの屈曲端部６における一方の活物質層の密度が切断によって高くなった分、他方の活物質層の密度が低くなっている。即ち、正極１０および負極２０それぞれの屈曲端部６においては、集電基材の一方の面側に配された活物質層の密度が切断によって高くなっている分、他方の面側に配された活物質層の密度が低くなっている。また、屈曲端部６では、密度が高くなった活物質層側の電極表面側へ集電基材が曲がっている。
ところが、正極１０および負極２０の屈曲端部６が互いに隣り合っており、且つ、各屈曲端部６において集電基材が各電極の一方の表面側へ曲がる厚み方向の向きが、それぞれ互いに反対方向である。即ち、互いに隣り合う正極１０および負極２０の屈曲端部６において、密度が高くなった活物質層同士が隣り合っているか、又は、密度が低くなった活物質層同士が隣り合っている。
従って、密度が高くなった活物質層同士が隣り合っている分、又は、密度が低くなった活物質層同士が隣り合っている分、正極１０および負極２０の屈曲端部６において、互いに向かい合う活物質層同士の間における充放電反応は、より均一なものとなる。
従って、上記の蓄電素子１においては、電極の端部にて集電基材が曲がっているにも関わらず、不均一な充放電反応が抑制されている。即ち、上記の蓄電素子１においては、切断によって集電基材が曲がり集電基材の両側の各活物質層の密度差が大きくなった電極を備えているにも関わらず、不均一な充放電反応が抑制されている。
【００２４】
正極１０は、例えば図１および図２に示すように、シート状の正極集電基材１１と、粒子状の正極活物質を含む正極活物質層１２とを含む。正極活物質層１２は、正極集電基材１１の両面側に配されている。
正極１０の形状は、例えば図４に示すように、矩形シート状である。
正極１０の厚みは、通常、３５〜２５０μｍである。また、正極集電基材１１の厚みは、通常、５〜５０μｍであり、正極活物質層１２の厚みは、通常、１５〜１００μｍである。
正極１０の厚みは、通常、一定である。
【００２５】
負極２０は、シート状の負極集電基材２１と、該負極集電基材２１の両面側に配され粒子状の負極活物質を含む負極活物質層２２とを含む。
負極２０の形状は、例えば図４に示すように、矩形シート状である。
負極２０の厚みは、通常、３５〜２５０μｍである。また、負極集電基材２１の厚みは、通常、５〜５０μｍであり、負極活物質層２２の厚みは、通常、１５〜１００μｍである。
負極２０の厚みは、通常、一定である。
【００２６】
電極体２においては、例えば図１および図２に示すように、正極活物質層１２と負極活物質層２２とが厚み方向に互いに向き合うように、正極１０と負極２０とがセパレータ３を介して重ね合わされている。
また、電極体２においては、例えば図４に示すように、複数の正極１０および複数の負極２０が厚み方向に積層され、正極１０および負極２０が積層方向に交互に並んでいる。また、正極１０の正極活物質層１２と、負極２０の負極活物質層２２とが、セパレータ３を介して互いに向き合っている。
【００２７】
各電極（正極１０および負極２０）は、端部の少なくとも一部に、厚み方向に切断されることによって形成された屈曲端部６を有する。
屈曲端部６は、切断前の集電基材と、該切断前の集電基材の両面側にそれぞれ配された切断前の活物質層とを含む電極原板が厚み方向に切断されることによって形成されている。電極原板の詳細については、後述する。
【００２８】
屈曲端部６は、電極原板が厚み方向に切断されることによって形成されているため、屈曲端部６では、集電基材が電極の端縁へ延びつつ電極の一方の活物質層側へ（電極の厚み方向の一方側へ）向けて曲がっている。例えば、図１および図２に示すように、屈曲端部６では、集電基材が電極の端縁まで延びている。屈曲端部６では、活物質層が集電基材の両面側にそれぞれ配されている。
例えば、屈曲端部６は、集電基材が電極の端縁に向かうほど電極の一方の表面側へ近づくように形成されている。
【００２９】
屈曲端部６は、各電極の端部において、電極の端縁へ向けて延びる集電基材が電極の一方の表面側へ近づき始める部位から、電極の端縁までの部分である。
【００３０】
屈曲端部６は、少なくとも厚み方向の一方向側から他方向側へ向けて切断力が加わることによって、電極原板が切断されて形成されている。従って、屈曲端部６においては、一方の活物質層の密度が切断力によって高くなった分、他方の活物質層の密度が低くなっている。即ち、各電極の屈曲端部６においては、集電基材の一方の面側に配された活物質層の密度が高くなった分、他方の面側に配された活物質層の密度が低くなっている。
【００３１】
電極体２においては、正極１０および負極２０の屈曲端部６は、セパレータ３を介して、積層方向（厚み方向）にそれぞれ互いに隣り合うように配されている。
各電極の屈曲端部６が“隣り合う”とは、例えば図１および図２に示すように、一方の屈曲端部６の少なくとも一部が、他方の屈曲端部６の少なくとも一部と互いに向き合っていることを意味する。即ち、電極の厚み方向（積層方向）の一方側から他方側へ各屈曲端部６を見たときに、一方の屈曲端部６の少なくとも一部が、他方の屈曲端部６の少なくとも一部と重なり合っていることを意味する。
【００３２】
電極体２においては、互いに隣り合う正極１０および負極２０の屈曲端部６にて、集電基材が正極１０又は負極２０の端縁へ延びつつ一方の活物質層側へ曲がる厚み方向の向きが、それぞれ互いに反対方向である。即ち、正極１０の屈曲端部６において正極集電基材１１が曲がる方向と、この正極１０の屈曲端部６と隣り合う負極２０の屈曲端部６において負極集電基材２１が曲がる方向とが、反対方向である。
【００３３】
電極体２が上記のように構成されているため、上述したように、互いに隣り合う屈曲端部６において、切断力によって密度が高くなった正極活物質層１２と負極活物質層２２とが隣り合っているか、又は、密度が低くなった正極活物質層１２と負極活物質層２２とが隣り合っている。
従って、密度が高くなった活物質層同士が隣り合っている分、又は、密度が低くなった活物質層同士が隣り合っている分、互いに隣り合う正極１０および負極２０の屈曲端部６間において、正極活物質層１２と負極活物質層２２との間における充放電反応は、より均一なものとなる。
【００３４】
電極体２においては、図１および図２に示すように、正極１０および負極２０が交互に積層方向に並んでいる。詳しくは、正極１０の屈曲端部６が積層方向に並び、且つ、負極２０の屈曲端部６が積層方向に並んでいる。積層方向に並んだ複数の正極１０の屈曲端部６では、各集電基材の曲がる方向が同じである。また、積層方向に並んだ複数の負極２０の屈曲端部６では、各集電基材の曲がる方向が同じである。
【００３５】
屈曲端部６は、例えば図１に示すように、集電基材の端縁と各活物質層の端縁とが面一となるように形成されている。又は、屈曲端部６は、例えば図２に示すように、集電基材の端縁が活物質層の端縁よりも外側にはみ出すように形成されていてもよい。
【００３６】
屈曲端部６は、各電極（正極１０および負極２０）の端部の少なくとも一部に形成されている。好ましくは、電極の少なくとも一方が、矩形状に形成され、矩形状の電極の少なくとも２辺に沿った端部に屈曲端部６が形成されている。
具体的には、屈曲端部６は、例えば、矩形状の電極の３辺に沿って形成されている。後述する集電タブは、屈曲端部６が形成されていない端部であって、電極の残りの１辺に沿った端部の一部に配され得る。
屈曲端部６は、各電極（正極１０および負極２０）の端部全てに形成されていてもよい。具体的には、屈曲端部６は、例えば、電極原板を打ち抜くことにより、端部すべてに形成されていてもよい。電極原板の打ち抜きにより、セパレータ３よりも外側へ突出する集電タブを形成することができる。
電極体２が後述する巻回型である場合、屈曲端部６は、通常、矩形状の電極の対向する２辺に沿って形成されている。この場合、電極体２では、巻回軸の両側にて巻回方向に沿って、屈曲端部６がそれぞれ配されることとなる。
【００３７】
なお、各電極の屈曲端部６における集電基材１１、２１は、通常、同じ方向に曲がっている。例えば、矩形状の電極の少なくとも２辺に沿って形成された屈曲端部６では、集電基材１１、２１が同じ方向に曲がっている。
【００３８】
屈曲端部６においては、集電基材１１、２１の曲がり幅（図１に示すＡの長さ）が、通常、０μｍを超え１００μｍ以下である。曲がり幅は、屈曲端部６における集電基材の最大幅（厚み方向長さ）である。
【００３９】
電極体２においては、積層方向の一方側から見たときに、例えば、正極活物質層１２の面積よりも負極活物質層２２の面積が大きい。しかも、正極活物質層１２が負極活物質層２２の内側に配されている。
斯かる構成により、充電時に正極活物質層１２から負極２０側へ移動してきたＬｉイオンを負極活物質層２２に確実に吸蔵できる。
【００４０】
正極集電基材１１は、通常、矩形シート状に形成されている。正極集電基材１１の端部の一部は、外側へ突出して集電タブ１１ａを形成していてもよい。
正極集電基材１１の厚みは、特に限定されないが、通常、１〜５００μｍである。
【００４１】
正極集電基材１１の材質としては、例えば、アルミニウム、チタン、ステンレス鋼、ニッケルなどの金属が挙げられる。
正極集電基材１１の材質としては、金属以外にも、例えば、焼成炭素、導電性高分子等が挙げられる。
正極集電基材１１としては、例えば、金属箔が挙げられる。
【００４２】
正極活物質層１２の形状は、一方の面側から見たときに、例えば、矩形状である。
【００４３】
正極活物質は、正極１０において充電反応および放電反応の電極反応に寄与し得る金属化合物を含むものである。
正極活物質は、通常、粒子状に形成されている。
【００４４】
正極活物質に含まれる金属化合物としては、特に限定されず、例えば、ニッケル酸リチウム（ＬｉＮｉＯ２）、スピネルマンガン酸リチウム（ＬｉＭｎ２Ｏ４）、コバルト酸リチウム（ＬｉＣｏＯ２）等のリチウム複合酸化物などが挙げられる。
また、斯かる金属化合物としては、リン酸鉄リチウムなどのオリビン型リン酸金属リチウム等が挙げられる。
【００４５】
正極活物質層１２は、構成成分として、導電剤、結着剤、増粘剤、フィラー等を必要に応じて含有する。
【００４６】
導電剤としては、特に限定されず、例えば、天然黒鉛（鱗状黒鉛、鱗片状黒鉛、土状黒鉛等）、人造黒鉛、カーボンブラック、アセチレンブラック、ケッチェンブラック、カーボンウイスカー、炭素繊維、金属（銅、ニッケル、アルミニウム、銀、金等）粉、金属繊維、導電性セラミックスなどが挙げられる。
導電剤としては、例えば、上記の１種単独物、又は２種以上の混合物が採用される。
【００４７】
結着剤としては、特に限定されず、例えば、ポリテトラフルオロエチレン（ＰＴＦＥ）、ポリフッ化ビニリデン（ＰＶＤＦ）、ポリエチレン、ポリプロピレン等の熱可塑性樹脂、エチレン−プロピレン−ジエンターポリマー（ＥＰＤＭ）、スルホン化ＥＰＤＭ、スチレンブタジエンゴム（ＳＢＲ）、フッ素ゴムなどが挙げられる。
結着剤としては、例えば、上記の１種単独物、又は２種以上の混合物が採用される。
【００４８】
増粘剤としては、特に限定されず、例えば、カルボキシメチルセルロース、メチルセルロース等の多糖類等が挙げられる。
増粘剤としては、例えば、上記の１種単独物、又は２種以上の混合物が採用される。
【００４９】
フィラーとしては、特に限定されず、例えば、ポリプロピレン、ポリエチレン等のオレフィン系ポリマー、無定形シリカ、アルミナ、ゼオライト、ガラス等が挙げられる。
【００５０】
負極集電基材２１は、通常、矩形シート状に形成されている。負極集電基材２１の端部の一部は、外側へ突出して集電タブ２１ａを形成していてもよい。
負極集電基材２１の厚みは、特に限定されないが、通常、５〜５０μｍである。
【００５１】
負極集電基材２１の材質としては、例えば、銅、ニッケル、鉄、ステンレス鋼、チタン、アルミニウムなどの金属が挙げられる。
負極集電基材２１の材質としては、金属以外にも、焼成炭素、導電性高分子、導電性ガラス等が挙げられる。
負極集電基材２１としては、例えば、上記金属の金属箔が挙げられる。
【００５２】
負極活物質層２２の形状は、一方の面側から見たときに、例えば、矩形状である。
【００５３】
負極活物質は、負極２０において充電反応および放電反応の電極反応に寄与し得る物質である。
負極活物質としては、例えば、炭素質材料、リチウム金属、リチウムイオンを吸蔵および放出可能な合金（リチウム合金等）、一般式ＭＯｚ（Ｍは、Ｗ、Ｍｏ、Ｓｉ、Ｃｕ、およびＳｎから選ばれる少なくとも１種の元素を示し、ｚは、０＜ｚ≦２の範囲を数値を示す）で表される金属酸化物、リチウム金属酸化物（Ｌｉ４Ｔｉ５Ｏ１２等）、および、ポリリン酸化合物のうちの少なくとも１種が挙げられる。
【００５４】
炭素質材料としては、例えば、黒鉛（グラファイト）および非晶質炭素の少なくとも１種が挙げられる。
非晶質炭素としては、難黒鉛化性炭素（ハードカーボン）や易黒鉛化性炭素（ソフトカーボン）などが挙げられる。
【００５５】
リチウムイオンを吸蔵および放出可能な合金としては、例えば、リチウム―アルミニウム合金、リチウム―鉛合金、リチウム―錫合金、リチウム―アルミニウム―錫合金、およびリチウム―ガリウム合金のうちの少なくとも１種のリチウム合金、又は、ウッド合金等が挙げられる。
【００５６】
負極活物質層２２は、正極活物質層１２と同様に、構成成分として、上述した結着剤、増粘剤、フィラー等を必要に応じて含有する。
【００５７】
セパレータ３は、電極間の充放電反応を確保させつつ電極間の短絡を防ぐものである。
セパレータ３は、正極１０の正極活物質層１２と、負極２０の負極活物質層２２との間に配されている。
【００５８】
セパレータ３としては、例えば、多孔膜や不織布等によって構成されたものが挙げられる。セパレータ３は、例えば、多孔膜や不織布の単独物、又は、これらが組み合わされたもので構成されている。
【００５９】
セパレータ３の材質としては、例えば、ポリエチレン、ポリプロピレン等のポリオレフィン系樹脂、ポリエチレンテレフタレート、ポリブチレンテレフタレート等のポリエステル系樹脂、および、フッ素系樹脂のうちの少なくとも１種などが挙げられる。
【００６０】
電解液は、ケース４０内に収容されている。電解液の少なくとも一部は、ケース４０内に収容された電極体２に含浸されている。
【００６１】
電解液は、通常、非水溶媒と、電解質塩とを含む。
電解液は、通常、電解質塩を０．５〜２．０ｍｏｌ／Ｌの濃度で含む。
【００６２】
非水溶媒としては、一般的に蓄電素子等において用いられているものが採用される。
具体的には、非水溶媒としては、例えば、環状炭酸エステル類、ラクトン類、鎖状カーボネート類、鎖状エステル類、エーテル類、ニトリル類などが挙げられる。
環状炭酸エステル類としては、例えば、プロピレンカーボネート、エチレンカーボネート、ブチレンカーボネート、クロロエチレンカーボネート等が挙げられる。
ラクトン類としては、例えば、γ−ブチロラクトン、γ−バレロラクトン等が挙げられる。
鎖状カーボネート類としては、例えば、ジメチルカーボネート、ジエチルカーボネート、エチルメチルカーボネート等が挙げられる。
鎖状エステル類としては、例えば、ギ酸メチル、酢酸メチル、酪酸メチル等が挙げられる。
エーテル類としては、例えば、１，３−ジオキサン、１，４−ジオキサン、１，２−ジメトキシエタン、１，４−ジブトキシエタン、メチルジグライム等が挙げられる。
ニトリル類としては、例えば、アセトニトリル、ベンゾニトリル等が挙げられる。
さらに、非水溶媒としては、例えば、テトラヒドロフラン若しくはその誘導体、ジオキソラン若しくはその誘導体、エチレンスルフィド、スルホラン、スルトン若しくはその誘導体等が挙げられる。
非水溶媒としては、上記の単独物、又は、上記の２種以上の混合物等が採用されるが、これらに限定されるものではない。
【００６３】
電解質塩としては、例えば、ＬｉＰＦ６、ＬｉＣｌＯ４、ＬｉＢＦ４、ＬｉＡｓＦ６、ＬｉＣＦ３ＳＯ３、ＬｉＮ（ＳＯ２ＣＦ３）２、ＬｉＮ（ＳＯ２Ｃ２Ｆ５）２、ＬｉＮ（ＳＯ２ＣＦ３）（ＳＯ２Ｃ４Ｆ９）、ＬｉＳＣＮ、ＬｉＢｒ、ＬｉＩ、Ｌｉ２ＳＯ４、Ｌｉ２Ｂ１０Ｃｌ１０等のリチウム塩が挙げられる。
電解質塩としては、上記の単独物、又は２種以上の混合物等が採用されるが、これらに限定されるものではない。
【００６４】
図５および図６に示すように、上記の非水電解液二次電池１は、さらに、電極体２を内部に収容するケース４０と、充放電のときに電池外部との電気経路となる端子とを備える。端子としては、例えば、平板状の平板端子５１が用いられる。
【００６５】
図５に示すように、ケース４０は、一対のケース片４１を有する。
各ケース片４１は、一方向に向けて開口し電極体２を収容する収容部４１ａと、収容部４１ａの開口縁から外側に向けて延びるフランジ部４１ｂとを有する。
ケース４０は、各ケース片４１の収容部４１ａの開口が互いに向き合いつつ、各ケース片４１のフランジ部４１ｂの面が互いに接合することによって、接合後の２つの収容部４１ａ内部の空間に電極体２と電解液とを収容するように構成されている。
各ケース片４１は、例えば、アルミ箔と樹脂フィルムとが積層されたラミネート材料で形成されている。
【００６６】
ケース４０内には、例えば、上述したような電極体２が収容されている。電極体２は、複数の正極１０および複数の負極２０が厚み方向に交互に並ぶように積層されることによって形成されている。
【００６７】
電極体２は、一対のケース片４１が上記のごとく互いに接合することによって、外側からケース４０によって取り囲まれ、ケース４０内に収容されている。
【００６８】
平板端子５１としては、正極用の平板端子５１ａ、および、負極用の平板端子５１ｂがある。
正極用の平板端子５１ａは、例えば溶接処理によって、電極体２における各正極集電基材１１の集電タブ１１ａと、接続されている。なお、集電タブ１１ａの外側部分は、互いに重ねられたうえで、平板端子５１ａに接続されている。
同様に、負極用の平板端子５１ｂは、例えば溶接処理によって、電極体２における各負極集電基材２１の集電タブ２１ａと、接続されている。集電タブ２１ａの外側部分は、互いに重ねられたうえで、平板端子５１ｂに接続されている。
平板端子５１の一部は、他の蓄電素子又は外部機器と電気的に接続されるように、ケース４０外に配されている。
【００６９】
第１実施形態の蓄電素子１は、例えば、上記のように複数の正極１０と複数の負極２０とが厚み方向に交互に複数回積層された電極体２を備えたものであったが、本発明の実施形態の蓄電素子１は、１枚の帯状の正極１０と１枚の帯状の負極２０とが重ね合わされ、さらに巻回されることによって形成された電極体２（以下、巻回型の電極体ともいう）を備えたもの（以下、第２実施形態の蓄電素子ともいう）であってもよい。
【００７０】
＜第２実施形態＞
第２実施形態の蓄電素子１は、第１実施形態の蓄電素子１と同様に、シート状に形成された正極１０および負極２０を電極として備えている。
第２実施形態の蓄電素子１においては、図７〜図９に示すように、１つの正極１０および１つの負極２０とが積層され、さらに巻回されることにより電極体２（巻回型の電極体）が形成されている。
【００７１】
巻回型の電極体２では、端部の少なくとも一部が、図１又は図２に示すような構造となっている。
巻回型の電極体２は、例えば図７に示すように、巻回された状態で扁平な矩形板状である。
巻回型の電極体２では、矩形状の各電極の対向する２辺に沿って、屈曲端部６が形成されている。具体的には、帯状の電極の長手方向の両端部に、屈曲端部６が形成され、帯状の正極１０の長手方向の両端側に配された屈曲端部６と、帯状の負極２０の長手方向の両端側に配された屈曲端部６とが、積層方向に交互に並んでいる。
第２実施形態の蓄電素子１は、第１実施形態の蓄電素子１と同様に、電極の端部にて集電基材が曲がっているにも関わらず、不均一な充放電反応が抑制されている。即ち、第２実施形態の蓄電素子１は、切断によって集電基材が曲がり集電基材の両側の各活物質層の密度差が大きくなった電極を備えているにも関わらず、不均一な充放電反応が抑制されている。
なお、第２実施形態の蓄電素子１は、特に言及しない限り、第１実施形態が有する構成と同様の構成を有する。
【００７２】
第２実施形態の蓄電素子１（巻回型の電極体２を備えた蓄電素子１）は、図７〜図９に示すように、巻回型の電極体２と、電極体２を収容するケース４０と、ケース４０の外側に配置される端子であって電極体２と導通する外部端子５５と、を備える。また、蓄電素子１は、電極体２、ケース４０、および外部端子５５の他に、電極体２と外部端子５５とを導通させる集電体５等を有する。
【００７３】
巻回型の電極体２の正極１０は、図７に示すように、帯形状の短手方向である幅方向の一方の端縁部に、正極活物質層１２に覆われていない非被覆部１０ａ（正極集電基材１１が露出した部分）を有する。
巻回型の電極体２の負極２０は、帯形状の短手方向である幅方向の他方（正極の非被覆部と反対側）の端縁部に、負極活物質層２２に覆われていない非被覆部２０ａ（負極集電基材２１が露出した部分）を有する。負極活物質層２２の幅は、正極活物質層１２の幅よりも大きい。
巻回型の電極体２では、図７に示すように、正極１０と負極２０とがセパレータ３によって絶縁された状態で巻回されている。絶縁性を有する部材であるセパレータ３によって、電極体２において、正極１０と負極２０とが互いに絶縁されている。また、セパレータ３は、ケース４０内において、電解液を保持する。これにより、蓄電素子１の充放電時において、リチウムイオンが、セパレータ３を挟んで交互に積層された正極１０と負極２０との間を移動する。
【００７４】
セパレータ３の幅（帯形状の短手方向の寸法）は、負極活物質層２２の幅より僅かに大きい。正極１０と負極２０とは、幅方向に位置ずれした状態で重ね合わされ、この正極１０とこの負極２０との間にセパレータ３が配置されている。正極１０の非被覆部１０ａと負極２０の非被覆部２０ａとは重なっていない。即ち、正極１０の非被覆部１０ａは、正極１０と負極２０とが重なる領域から幅方向に突出し、且つ、負極２０の非被覆部２０ａは、正極１０と負極２０とが重なる領域から幅方向（正極の非被覆部の突出方向と反対の方向）に突出している。積層された状態の正極１０、負極２０、およびセパレータ３が巻回されることによって、電極体２が形成されている。
【００７５】
正極１０の非被覆部１０ａが積層された部分によって、電極体２の非被覆積層部２６が形成され、負極２０の非被覆部２０ａが積層された部分によって、電極体２の非被覆積層部２６が形成されている。
非被覆積層部２６は、集電体５と導通される部分である。非被覆積層部２６は、巻回された正極１０、負極２０、およびセパレータ３の巻回中心方向視において、例えば、中空部９（図８参照）を挟んで、二つの部分（二分された非被覆積層部２６ａ，２６ａ）に区分けされる。
上記の非被覆積層部２６は、電極体２の各極に設けられている。即ち、正極１０の非被覆部１０ａのみが積層された非被覆積層部２６が電極体２における正極１０の非被覆積層部を構成し、負極２０の非被覆部２０ａのみが積層された非被覆積層部２６が電極体２における負極２０の非被覆積層部を構成する。
【００７６】
ケース４０は、開口を有するケース本体４５と、ケース本体４５の開口を塞ぐ（閉じる）蓋板４６と、を有する。ケース４０は、電極体２および集電体５等の他、電解液を内部空間に収容している。ケース４０は、電解液に耐性を有する金属によって形成されている。ケース４０は、例えば、アルミニウム、又は、アルミニウム合金等のアルミニウム系金属材料によって形成されている。ケース４０は、ステンレス鋼およびニッケル等の金属材料、又は、アルミニウムにナイロン等の樹脂を接着した複合材料等によって形成されていてもよい。
ケース４０は、ケース本体４５の開口周縁部と、蓋板４６の周縁部とを重ね合わせた状態で接合することによって形成されている。また、ケース４０は、ケース本体４５と蓋板４６とによって画定される内部空間を有する。ケース本体４５の開口周縁部と蓋板４６の周縁部とは、例えば、溶接によって接合されている。
【００７７】
蓋板４６は、ケース本体４５の開口を塞ぐ板状の部材である。具体的には、蓋板４６がケース本体４５の開口を塞ぐように、蓋板４６の周縁部がケース本体４５の開口周縁部に重ねられ、開口周縁部と蓋板４６とが重ねられた状態で、蓋板４６とケース本体４５との境界部が溶接されることにより、ケース４０が構成されている。
蓋板４６は、ケース本体４５の開口周縁部に対応する輪郭形状を有する。即ち、蓋板４６は、長方形状の板材である。また、蓋板４６の四隅は、円弧状となっている。
【００７８】
蓋板４６は、ケース４０内のガスを外部に排出可能なガス排出弁４６ａを有する。ガス排出弁４６ａは、ケース４０の内部圧力が所定の圧力まで上昇したときに、該ケース４０内から外部にガスを排出するように構成されている。ガス排出弁４６ａは、蓋板４６の中央部に設けられている。
蓋板４６には、電解液を注入するための注液孔が設けられている。注液孔は、蓋板４６を厚さ方向に貫通している。
蓋板４６は、注液孔を密閉する（塞ぐ）注液栓４６ｂを備える。注液栓４６ｂは、溶接によってケース４０（蓋板４６）に固定されている。
【００７９】
外部端子５５は、他の蓄電素子の外部端子又は外部機器等と電気的に接続される部分である。外部端子５５は、導電性を有する部材によって形成されている。例えば、外部端子５５は、アルミニウム又はアルミニウム合金等のアルミニウム系金属材料、銅又は銅合金等の銅系金属材料等の溶接性の高い金属材料によって形成されている。
外部端子５５は、バスバ等が溶接可能な面５６を有する。斯かる面５６は、平面である。
【００８０】
集電体５は、ケース４０内に配置され、電極体２と通電可能に直接又は間接に接続されている。集電体５は、クリップ部材を介して電極体２と通電可能に接続されている。即ち、蓄電素子１は、電極体２と集電体５とを通電可能に接続するクリップ部材を備える。
集電体５は、導電性を有する部材によって形成されている。集電体５は、ケース４０の内面に沿って配置されている。
集電体５は、蓄電素子１の正極１０と負極２０とにそれぞれ接続されている。本実施形態の蓄電素子１では、集電体５は、ケース４０内において、電極体２の正極１０の非被覆積層部２６と、負極２０の非被覆積層部２６とにそれぞれ接続するように配置されている。
正極１０に接続する集電体５と、負極２０に接続する集電体５とは、異なる材料によって形成されている。具体的には、正極１０に接続する集電体５は、例えば、アルミニウム又はアルミニウム合金によって形成され、負極２０に接続する集電体５は、例えば、銅又は銅合金によって形成されている。
【００８１】
本実施形態の蓄電素子１は、電極体２とケース４０とを絶縁する絶縁部材８を備える。絶縁部材８は、例えば、ケース４０（詳しくはケース本体４５）と電極体２との間に配置されている。絶縁部材８は、絶縁性を有するシート状の部材によって形成されている。絶縁部材８は、例えば、ポリプロピレン、ポリフェニレンスルフィド等の樹脂によって形成されている。
【００８２】
次に、上記の蓄電素子１としての非水電解液二次電池１（リチウムイオン二次電池）の製造方法について説明する。
【００８３】
非水電解液二次電池１は、一般的な方法によって製造される。
例えば、非水電解液二次電池１は、
シート状の切断前集電基材の両面側に切断前活物質層がそれぞれ配されてなる電極原板を作製する電極原板作製工程と、
電極原板を厚み方向に切断することによって電極としての正極１０および負極２０を作製する切断工程と、
切断によって作製された正極１０および負極２０とセパレータ３とを厚み方向に積層することにより電極体２を作製する電極体作製工程と、
電極体２および電解液をケース４０内に収容する収容工程とを行うことによって製造することができる。
【００８４】
電極原板作製工程では、電極原板としての正極原板と負極原板とをそれぞれ作製する。
【００８５】
正極原板の作製においては、例えば、上述した粒子状の正極活物質、導電剤、結着剤、および増粘剤と、Ｎ−メチル−２−ピロリドン（ＮＭＰ）等の有機溶媒とを混合し、正極合剤を調製する。次いで、正極合剤をシート状の切断前正極集電基材の両面側に塗布する。続いて、乾燥によって正極合剤から有機溶媒を揮発させることによって、切断前正極集電基材の両面側に正極活物質層１２が配されてなる正極原板を作製する。
なお、切断前正極集電基材としては、上述した正極集電基材１１と同じ材質のものが採用される。
【００８６】
正極原板の作製において正極活物質、導電剤、結着剤、増粘剤等を混合する方法としては、例えば、Ｖ型混合機、Ｓ型混合機、擂かい機、ボールミル、遊星ボールミルなどの粉体混合機を用いて混合する方法が採用される。
【００８７】
正極原板の作製において正極集電基材原板に正極合剤を塗布する方法としては、特に限定されず、例えば、アプリケーターロールなどのローラーコーティング、スクリーンコーティング、ブレードコーティング、スピンコーティング、パーコーティング等が採用される。
【００８８】
負極原板は、例えば、正極原板と同様にして作製する。
詳しくは、負極原板は、粒子状の正極活物質に代えて、粒子状の負極活物質を用いる点以外は、例えば、上述した正極原板の作製方法と同様の方法によって、作製する。
即ち、負極原板の作製においては、例えば、上述した粒子状の負極活物質、結着剤、および増粘剤と、有機溶媒とを混合して負極合剤を調製した後、負極合剤をシート状の切断前負極集電基材の両面側に塗布する。次に、乾燥によって、負極合剤から有機溶媒を揮発させる。そして、切断前負極集電基材の両面側に負極活物質層が配されてなる負極原板を作製する。
なお、切断前負極集電基材としては、上述した負極集電基材２１と同じ材質のものが採用される。
【００８９】
切断工程においては、正極原板および負極原板を一般的な方法によって切断する。
切断方法としては、例えば、トムソン打ち抜き機に取り付けられたトムソン刃によって原板を切断する方法などを採用することができる。また、切断においては、ギャング方式、シャー方式、レザー式、スコア式などを採用することができる。
【００９０】
切断工程における切断によって、上述したように電極に屈曲端部６が形成されることとなる。切断においては、正極原板および負極原板のいずれにも、少なくとも厚み方向の一方向側へ向けて切断力が加わる。従って、切断工程における切断によって、屈曲端部６においては、集電基材の一方の面側に配された活物質層の密度が高くなる分、他方の面側に配された活物質層の密度が低くなる。また、集電基材が、密度が高くなった活物質層側へ曲がる。
【００９１】
電極体作製工程においては、例えば、図３〜図５に示す平板状の電極体２を作製する。
電極体２は、例えば、シート状の正極１０、シート状のセパレータ３、シート状の負極２０、および、シート状のセパレータ３をそれぞれ厚み方向にこの順序で積層することによって、作製する。このとき、正極１０の屈曲端部６と、負極２０の屈曲端部６とが少なくとも隣り合うように、且つ、隣り合う屈曲端部６の正極集電基材１１の向きと負極集電基材２１の向きとが反対となるように、正極１０と負極２０とを積層する。また、正極１０の屈曲端部での集電基材の曲がる向きが同じ方向となるように、複数の正極１０を積層方向に並べ、負極２０の屈曲端部での集電基材の曲がる向きが同じ方向となるように、複数の負極２０を積層方向に並べる。さらに、同様にして、正極１０、セパレータ３、および負極２０を積層することもできる。複数の正極１０および複数の負極２０の１つずつを交互に積層して電極体２を形成する場合には、例えば、各正極１０と各負極２０とは、電気的に並列に接続される。
また、電極体作製工程においては、例えば、図７に示す巻回型の電極体２を作製することができる。
巻回型の電極体２の作製においては、例えば、帯状の正極１０、帯状のセパレータ３、帯状の負極２０、および、帯状のセパレータ３をそれぞれ厚み方向にこの順序で積層した積層物を作製する。このとき、正極１０の屈曲端部６と、負極２０の屈曲端部６とが少なくとも隣り合うように、且つ、各屈曲端部６での集電基材の曲がる向きが互いに反対方向となるように、正極１０と負極２０とを積層する。さらに、積層物の幅方向に延びる軸を巻回軸として、積層物を巻回する。このようにして、巻回型の電極体２を作製する。
【００９２】
収容工程においては、作製された電極体２と電解液とを、ケース４０内に収容する。また、各電極の集電タブ１１ａの外側部分と、平板端子５１とを溶接することによって、平板端子５１を電極体２に接続する。
具体的には、上述したケース片４１のフランジ部４１ｂを互いに接合させることによって、ケース４０内に電極体２を配置する。このとき、予め調製しておいた電解液をケース４０内に収容する。このとき、正極用の平板端子５１と、束ねた正極１０の集電タブ１１ａとを接続し、且つ、負極用の平板端子５１と、束ねた負極２０の集電タブ２１ａとを接続する。また、このとき、正極用の平板端子５１の一部、および、負極用の平板端子５１の一部をそれぞれケース４０外に配する。
【００９３】
一方、巻回型の電極体２を製造する場合、収容工程においては、例えば、まず、正極１０、セパレータ３、負極２０、およびセパレータ３を、この順で重ね合わせ、その後、巻回して電極体２を形成する。続いて、ケース本体４５に電極体２を入れる。その後、正極１０および負極２０にそれぞれ集電体５を接続する。さらに、外部端子５５が装着された蓋板４６でケース本体４５を覆うとともに、集電体５と外部端子５５とを接続する。この状態でケース本体４５と蓋板４６とを溶接する。注液口を通して電解液を注入する。最後に、注液口を注液栓４６ｂで塞ぐ。
【００９４】
以上のようにして、蓄電素子としての非水電解質二次電池１を製造することができる。
【００９５】
なお、本発明の蓄電素子は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００９６】
また、上記実施形態においては、蓄電素子が充放電可能な非水電解質二次電池（例えばリチウムイオン二次電池）として用いられる場合について説明したが、蓄電素子の種類や大きさ（容量）は任意である。また、上記実施形態において、蓄電素子の一例として、リチウムイオン二次電池について説明したが、これに限定されるものではない。例えば、本発明は、種々の二次電池、その他、一次電池や、電気二重層キャパシタ等のキャパシタの蓄電素子にも適用可能である。
【００９７】
上記実施形態の蓄電素子（例えば電池）は、蓄電装置（蓄電素子が電池の場合は電池モジュール）に用いられてもよい。蓄電装置は、少なくとも２つの蓄電素子１と、２つの（異なる）蓄電素子１同士を電気的に接続するバスバ部材と、を有する。この場合、上記の蓄電素子１の少なくとも１つが蓄電素子１に適用されていればよい。
【符号の説明】
【００９８】
１：蓄電素子（リチウムイオン二次電池）、
２：電極体、
３：セパレータ、
５：集電体、
６：屈曲端部、
１０：正極、  １１：正極集電基材、  １２：正極活物質層、
２０：負極、  ２１：負極集電基材、  ２２：負極活物質層、
４０：ケース、
４１：ケース片、  ４１ａ：収容部、  ４１ｂ：フランジ部、
４５：ケース本体、  ４６：蓋板、
５１：平板端子、  ５１ａ：正極用の平板端子、  ５１ｂ：負極用の平板端子、
５５：外部端子。
【図１】
2015222632.tif 000003
【図２】
2015222632.tif 000004
【図３】
2015222632.tif 000005
【図４】
2015222632.tif 000006
【図５】
2015222632.tif 000007
【図６】
2015222632.tif 000008
【図７】
2015222632.tif 000009
【図８】
2015222632.tif 000010
【図９】
2015222632.tif 000011